(57)【要約】【課題】管理者が縫製に関わる作業状況を従来よりも詳細に把握可能な情報処理システム、情報処理装置、及び情報処理方法を提供すること。【解決手段】情報処理システムは複数の端末装置、情報処理装置を備える。複数の端末装置は各々、作業者による縫製に関わる作業状況を示す状況情報を送信する。情報処理装置の制御部は、複数の端末装置の各々から、識別情報と状況情報とを通信部を介して受信し、状況情報と、状況情報を取得した時刻を示す時刻情報とを識別情報に関連付けて記憶装置に記憶する。制御部は、複数の端末装置の内の特定の端末装置を指定し（Ｓ３４）、指定した端末装置が送信した状況情報の時間遷移を、状況情報の内の非作業情報と他の情報とを区別可能に表示部に表示する（Ｓ３５）。【選択図】図９
2020123293.tif 000002
【特許請求の範囲】
【請求項１】
作業者による縫製に関わる作業状況を示す状況情報を送信可能な複数の端末装置と、
前記複数の端末装置の各々と通信可能な通信部、画像を表示可能な表示部、前記状況情報を記憶可能な記憶装置、及び制御部を備え、前記複数の端末装置の各々についての前記状況情報を処理する情報処理装置と
を備える情報処理システムにおいて、
前記状況情報は、前記作業者が前記縫製に関わる作業から離れていることを示す非作業情報を含み、
前記複数の端末装置は各々、
前記非作業情報の入力を受け付ける受付部と、
前記端末装置を識別する識別情報と前記状況情報を前記情報処理装置に送信する送信部と
を備え、
前記情報処理装置の前記制御部は、
前記複数の端末装置の各々から、前記識別情報と前記状況情報とを前記通信部を介して受信する受信部と、
前記状況情報と、前記状況情報を取得した時刻を示す時刻情報とを前記識別情報に関連付けて前記記憶装置に記憶する記憶制御部と、
前記複数の端末装置の内の特定の前記端末装置を指定する装置指定部と、
前記装置指定部が指定した前記端末装置が送信した前記状況情報の時間遷移を、前記状況情報の内の前記非作業情報と他の情報とを区別可能に前記表示部に表示する特定表示制御部
として機能することを特徴とする情報処理システム。
【請求項２】
前記非作業情報は、前記作業者が前記縫製に関わる作業から離れている状況が互いに異なる複数の種類を含み、
前記記憶装置は、前記非作業情報が有する前記複数の種類の各々に応じた複数のアイコンを更に記憶し、
前記特定表示制御部は、前記記憶装置が記憶する前記複数のアイコンの内の、前記表示部に表示する前記非作業情報の種類に対応したアイコンを用いて、前記装置指定部が指定した前記端末装置が送信した前記状況情報の前記時間遷移を、前記非作業情報と前記他の情報とを区別可能に前記表示部に表示することを特徴とする請求項１に記載の情報処理システム。
【請求項３】
前記制御部は、
前記状況情報と前記時刻情報とに依り、前記複数の端末装置の各々について、前記非作業情報を取得した期間を除いて、単位時間当たりの作業量を算出する算出部と、
前記算出部が算出した前記単位時間当たりの前記作業量を前記表示部に表示する生産情報表示制御部
として更に機能することを特徴とする請求項１又は２に記載の情報処理システム。
【請求項４】
前記記憶装置は、前記複数の端末装置の各々について、対応する縫製装置、作業者、及び作業工程を記憶し、
前記制御部は、
前記複数の端末装置の各々の前記状況情報に依り、前記複数の端末装置の各々に対応する前記縫製に関わる作業量を表示する時の区分を、前記縫製装置、前記作業者、及び前記作業工程の中から指定する表示条件指定部と、
前記複数の端末装置の各々の前記状況情報に依り、前記表示条件指定部が指定する前記区分毎に前記作業量を前記表示部に表示する作業量表示制御部
として更に機能することを特徴とする請求項１〜３の何れかに記載の情報処理システム。
【請求項５】
前記制御部は、
前記複数の端末装置の各々の前記状況情報に依り、前記表示条件指定部が指定する前記区分が前記縫製装置又は前記作業者の場合に前記端末装置が送信した前記状況情報の前記時間遷移を、前記状況情報の内の前記非作業情報と他の情報とを区別可能に前記表示部に表示する区分表示制御部として更に機能することを特徴とする請求項４に記載の情報処理システム。
【請求項６】
前記端末装置を有する縫製装置を更に備え、
前記縫製装置は前記状況情報が前記非作業情報である期間中、縫製機能を禁止する機能停止部を備えることを特徴とする請求項１〜５の何れかに記載の情報処理システム。
【請求項７】
作業者による縫製に関わる作業状況を示す状況情報を送信可能な複数の端末装置の各々と通信可能な通信部、画像を表示可能な表示部、前記状況情報を記憶可能な記憶装置、及び制御部を備え、前記複数の端末装置の各々についての前記状況情報を処理する情報処理装置において、
前記状況情報は、前記作業者が前記縫製に関わる作業から離れていることを示す非作業情報を含み、
前記制御部は、
前記複数の端末装置の各々から、前記端末装置を識別する識別情報と前記状況情報とを前記通信部を介して受信する受信部と、
前記状況情報と、前記状況情報を取得した時刻を示す時刻情報とを前記識別情報に関連付けて前記記憶装置に記憶する記憶制御部と、
前記複数の端末装置の内の特定の前記端末装置を指定する装置指定部と、
前記装置指定部が指定した前記端末装置が送信した前記状況情報の時間遷移を、前記状況情報の内の前記非作業情報と他の情報とを区別可能に前記表示部に表示する特定表示制御部
として機能することを特徴とする情報処理装置。
【請求項８】
作業者による縫製に関わる作業状況を示す状況情報を送信可能な複数の端末装置の各々と通信可能な通信部、画像を表示可能な表示部、前記状況情報を記憶可能な記憶装置、及び制御部を備える情報処理装置の前記制御部が実行する、複数の端末装置の各々についての前記状況情報を処理する情報処理方法において、
前記状況情報は、前記作業者が前記縫製に関わる作業から離れていることを示す非作業情報を含み、
前記複数の端末装置の各々から、前記端末装置を識別する識別情報と前記状況情報とを前記通信部を介して受信する受信工程と、
前記状況情報と、前記状況情報を取得した時刻を示す時刻情報とを前記識別情報に関連付けて前記記憶装置に記憶する記憶制御工程と、
前記複数の端末装置の内の特定の前記端末装置を指定する装置指定工程と、
前記装置指定工程で指定した前記端末装置が送信した前記状況情報の時間遷移を、前記状況情報の内の前記非作業情報と他の情報とを区別可能に前記表示部に表示する特定表示制御工程を備えることを特徴とする情報処理方法。
【発明の詳細な説明】
【技術分野】
【０００１】
本発明は複数の縫製装置の各々の情報を処理する情報処理システム、情報処理装置、及び情報処理方法に関する。
【背景技術】
【０００２】
複数の縫製装置の作業状況を管理する情報処理システムが公知である（例えば、特許文献１参照）。特許文献１に記載の情報処理システムは情報処理装置と複数の端末装置を備える。情報処理装置は複数の端末装置から縫製装置を識別する識別情報と、作業状況を表す状況情報を通信部を介して受信し、時刻情報と関連付けて記憶装置に記憶する。情報処理装置は複数の縫製装置の各々についての最新の状況情報及び識別情報に対応する所定期間内の状況情報を色割付テーブルが記憶する色情報の色を用いて表示する。
【先行技術文献】
【特許文献】
【０００３】
【特許文献１】特開２０１８−５５４９４号公報
【発明の概要】
【発明が解決しようとする課題】
【０００４】
縫製装置の状況情報は縫製装置の稼働状態を示す。従って従来の情報処理装置は作業者が一時的に縫製装置から離れる等、縫製装置を使用していない時には作業状況を端末装置から受信できない。管理者は情報処理装置が表示する縫製装置の状況情報により作業者が縫製装置を使用して作業していない状況を把握できない。
【０００５】
本発明の目的は管理者が縫製に関わる作業状況を従来よりも詳細に把握可能な情報処理システム、情報処理装置、及び情報処理方法を提供することである。
【課題を解決するための手段】
【０００６】
本発明の第一態様の情報処理システムは、作業者による縫製に関わる作業状況を示す状況情報を送信可能な複数の端末装置と、前記複数の端末装置の各々と通信可能な通信部、画像を表示可能な表示部、前記状況情報を記憶可能な記憶装置、及び制御部を備え、前記複数の端末装置の各々についての前記状況情報を処理する情報処理装置とを備える情報処理システムにおいて、前記状況情報は、前記作業者が前記縫製に関わる作業から離れていることを示す非作業情報を含み、前記複数の端末装置は各々、前記非作業情報の入力を受け付ける受付部と、前記端末装置を識別する識別情報と前記状況情報を前記情報処理装置に送信する送信部とを備え、前記情報処理装置の前記制御部は、前記複数の端末装置の各々から、前記識別情報と前記状況情報とを前記通信部を介して受信する受信部と、前記状況情報と、前記状況情報を取得した時刻を示す時刻情報とを前記識別情報に関連付けて前記記憶装置に記憶する記憶制御部と、前記複数の端末装置の内の特定の前記端末装置を指定する装置指定部と、前記装置指定部が指定した前記端末装置が送信した前記状況情報の時間遷移を、前記状況情報の内の前記非作業情報と他の情報とを区別可能に前記表示部に表示する特定表示制御部として機能する。
【０００７】
第一態様の情報処理システムは装置指定部が指定した端末装置が送信した状況情報の時間遷移を、状況情報の内の非作業情報と他の情報とを区別可能に表示部に表示できる。管理者は情報処理装置が表示する状況情報により作業者が縫製に関わる作業から離れていた期間を把握できる。情報処理システムは管理者が縫製に関わる作業状況を従来よりも詳細に把握可能に状況情報を表示できる。
【０００８】
第一態様の情報処理システムの前記非作業情報は、前記作業者が前記縫製に関わる作業から離れている状況が互いに異なる複数の種類を含み、前記記憶装置は、前記非作業情報が有する前記複数の種類の各々に応じた複数のアイコンを更に記憶し、前記特定表示制御部は、前記記憶装置が記憶する前記複数のアイコンの内の、前記表示部に表示する前記非作業情報の種類に対応したアイコンを用いて、前記装置指定部が指定した前記端末装置が送信した前記状況情報の前記時間遷移を、前記非作業情報と前記他の情報とを区別可能に前記表示部に表示してもよい。該情報処理システムは装置指定部が指定した端末装置が送信した状況情報の時間遷移を、表示部に表示する非作業情報の種類に対応したアイコンを用いて、状況情報の内の非作業情報と他の情報とを区別可能に表示部に表示できる。情報処理システムは非作業情報が一種類である時よりも作業者が縫製に関わる作業から離れている状況を詳細に表示できる。情報処理システムは管理者が非作業情報の種類を把握する際の利便性を向上できる。
【０００９】
第一態様の情報処理システムの前記制御部は、前記状況情報と前記時刻情報とに依り、前記複数の端末装置の各々について、前記非作業情報を取得した期間を除いて、単位時間当たりの作業量を算出する算出部と、前記算出部が算出した前記単位時間当たりの前記作業量を前記表示部に表示する生産情報表示制御部として更に機能してもよい。該情報処理システムは非作業情報を取得した期間を除いて単位時間当たりの作業量を算出できる。情報処理システムは作業者の能力に応じた単位時間当たりの作業量を算出できる。
【００１０】
第一態様の情報処理システムの前記記憶装置は、前記複数の端末装置の各々について、対応する縫製装置、作業者、及び作業工程を記憶し、前記制御部は、前記複数の端末装置の各々の前記状況情報に依り、前記複数の端末装置の各々に対応する前記縫製に関わる作業量を表示する時の区分を、前記縫製装置、前記作業者、及び前記作業工程の中から指定する表示条件指定部と、前記複数の端末装置の各々の前記状況情報に依り、前記表示条件指定部が指定する前記区分毎に前記作業量を前記表示部に表示する作業量表示制御部として更に機能してもよい。該情報処理システムは区分毎の作業量を表示部に表示できる。情報処理システムは管理者が区分毎に作業量を確認する際の手間を従来よりも軽減できる。
【００１１】
第一態様の情報処理システムの前記制御部は、前記複数の端末装置の各々の前記状況情報に依り、前記表示条件指定部が指定する前記区分が前記縫製装置又は前記作業者の場合に前記端末装置が送信した前記状況情報の前記時間遷移を、前記状況情報の内の前記非作業情報と他の情報とを区別可能に前記表示部に表示する区分表示制御部として更に機能してもよい。該情報処理システムは区分毎に端末装置が送信した状況情報の時間遷移を、状況情報の内の非作業情報と他の情報とを区別可能に表示部に表示できる。管理者は区分毎の状況情報の時間遷移を容易に確認できる。
【００１２】
第一態様の情報処理システムは、前記端末装置を有する縫製装置を更に備え、前記縫製装置は前記状況情報が前記非作業情報である期間中、縫製機能を禁止する機能停止部を備えてもよい。該情報処理システムは非作業情報を取得した期間に誤って縫製装置が駆動することを確実に抑制できる。
【００１３】
本発明の第二態様の情報処理装置は、作業者による縫製に関わる作業状況を示す状況情報を送信可能な複数の端末装置の各々と通信可能な通信部、画像を表示可能な表示部、前記状況情報を記憶可能な記憶装置、及び制御部を備え、前記複数の端末装置の各々についての前記状況情報を処理する情報処理装置において、前記状況情報は、前記作業者が前記縫製に関わる作業から離れていることを示す非作業情報を含み、前記制御部は、前記複数の端末装置の各々から、前記端末装置を識別する識別情報と前記状況情報とを前記通信部を介して受信する受信部と、前記状況情報と、前記状況情報を取得した時刻を示す時刻情報とを前記識別情報に関連付けて前記記憶装置に記憶する記憶制御部と、前記複数の端末装置の内の特定の前記端末装置を指定する装置指定部と、前記装置指定部が指定した前記端末装置が送信した前記状況情報の時間遷移を、前記状況情報の内の前記非作業情報と他の情報とを区別可能に前記表示部に表示する特定表示制御部として機能する。
【００１４】
本発明の第三態様の情報処理方法は、作業者による縫製に関わる作業状況を示す状況情報を送信可能な複数の端末装置の各々と通信可能な通信部、画像を表示可能な表示部、前記状況情報を記憶可能な記憶装置、及び制御部を備える情報処理装置の前記制御部が実行する、複数の端末装置の各々についての前記状況情報を処理する情報処理方法において、前記状況情報は、前記作業者が前記縫製に関わる作業から離れていることを示す非作業情報を含み、前記複数の端末装置の各々から、前記端末装置を識別する識別情報と前記状況情報とを前記通信部を介して受信する受信工程と、前記状況情報と、前記状況情報を取得した時刻を示す時刻情報とを前記識別情報に関連付けて前記記憶装置に記憶する記憶制御工程と、前記複数の端末装置の内の特定の前記端末装置を指定する装置指定工程と、前記装置指定工程で指定した前記端末装置が送信した前記状況情報の時間遷移を、前記状況情報の内の前記非作業情報と他の情報とを区別可能に前記表示部に表示する特定表示制御工程を備える。第二態様の情報処理装置、第三態様の情報処理方法は第一態様の情報処理システムと同様の効果を奏する。
【図面の簡単な説明】
【００１５】
【図１】情報処理システム１のシステム構成、情報処理装置２、縫製装置３、リムーバブルメディア５、及び端末装置１０の電気的構成を示すブロック図。
【図２】記憶部２４が記憶する記憶領域２４１〜２４４の説明図。
【図３】作業者番号、作業工程、目標枚数の対応を示す表９２の説明図。
【図４】状況情報送信処理の流れ図。
【図５】ＬＣＤ３７が表示する画面の遷移を示す図。
【図６】状況情報取得処理の流れ図。
【図７】画面９５の説明図。
【図８】ログファイル記憶領域２４４の説明図。
【図９】応答処理の流れ図。
【図１０】生産状況表示処理の流れ図。
【図１１】区分が作業者である時に表示する画面４１の説明図。
【図１２】区分が縫製装置である時に表示する画面４６の説明図。
【図１３】区分が作業工程である時に表示する画面４８の説明図。
【図１４】詳細表示処理の流れ図。
【図１５】表示対象が特定の縫製装置である時に表示する画面１００の説明図。
【図１６】表示対象が作業者別である時に表示する画面１１０の説明図。
【図１７】表示対象が縫製装置別である時に表示する画面１２０の説明図。
【発明を実施するための形態】
【００１６】
図１を参照し、情報処理システム１の概要を説明する。情報処理システム１は情報処理装置２、縫製装置３Ａ、３Ｂ、３Ｃ、３Ｄ等（以下、総称して「縫製装置３」という。）、ＰＣ６、アクセスポイント７、端末装置１０を備える。情報処理装置２、ＰＣ６、アクセスポイント７はＬＡＮ、ＷＡＮ等のネットワーク８に接続する。縫製装置３と端末装置１０はアクセスポイント７を介してネットワーク８に無線で接続する。情報処理装置２、縫製装置３、ＰＣ６、端末装置１０はネットワーク８を介して通信できる。情報処理システム１は複数の縫製装置３の各々の情報を情報処理装置２にて管理する。情報は縫製装置３を識別する識別情報、縫製装置３の設定情報を含む。設定情報は縫製装置３を駆動する為のソフトウェアのバージョン情報、縫製条件を示す情報を含む。
【００１７】
情報処理装置２の電気的構成を説明する。情報処理装置２は汎用のＰＣである。情報処理装置２は情報処理装置２を制御するＣＰＵ２１を備える。ＣＰＵ２１はＲＯＭ２２、ＲＡＭ２３、記憶部２４、通信Ｉ／Ｆ２５、液晶表示装置（ＬＣＤ）２７、入力部２８、ドライブ装置２９とインタフェース回路を介して電気的に接続する。ＲＯＭ２２はブートプログラム、ＢＩＯＳ等を記憶する。ＲＡＭ２３はタイマ、カウンタ、フラグ、一時的なデータ等を記憶する。記憶部２４はハードディスク等の不揮発性の記憶媒体である。記憶部２４はＣＰＵ２１が実行する処理のプログラム、ＯＳ、各種テーブルを記憶する。
【００１８】
通信Ｉ／Ｆ２５は情報処理装置２がネットワーク８に有線接続する為のインタフェース（例えば、ＬＡＮカード等）である。通信Ｉ／Ｆ２５はアクセスポイント７と無線接続する為のインタフェース（例えば、Ｗｉ−Ｆｉ通信モジュール等）でもよい。ＣＰＵ２１は通信Ｉ／Ｆ２５を介してネットワーク８に接続する他の機器とデータの送受信を行う。ＣＰＵ２１は記憶媒体３０に記憶したプログラムをドライブ装置２９で読出し、記憶部２４に記憶できる。ＬＣＤ２７は各種情報を表示できる。入力部２８はキーボード、マウス等を含む。ドライブ装置２９は半導体メモリ、光ディスク等の記憶媒体３０が記憶した情報を読出すことができる。
【００１９】
縫製装置３の電気的構成を説明する。縫製装置３は縫製装置３を制御するＣＰＵ３１を備える。ＣＰＵ３１はＲＯＭ３２、ＲＡＭ３３、記憶部３４、駆動回路３５、ＬＣＤ３７、操作部３８、ＵＳＢ  Ｉ／Ｆ３９、非図示のインタフェース回路を介して電気的に接続する。ＲＯＭ３２はブートプログラム等を記憶する。ＲＡＭ３３はタイマ、カウンタ、フラグ、一時的なデータ、各種テーブル等を記憶する。記憶部３４はフラッシュメモリ等の不揮発性の記憶媒体である。記憶部３４はＣＰＵ３１が実行する処理のプログラム、各種テーブル等を記憶する。縫製装置３は上記全ての電気的構成を内蔵しなくてもよい。例えば縫製装置３の電気的構成の一部はインタフェースを介して縫製装置３外部に接続してもよい。該時、縫製装置３は縫製装置３内部に設けた電気的構成を制御する為のＣＰＵ、ＲＯＭ、ＲＡＭの他に縫製装置３外部に設けた電気的構成を制御する為のＣＰＵ、ＲＯＭ、ＲＡＭを設けてもよい。
【００２０】
駆動回路３５はＣＰＵ３１が出力する信号に応じて上軸モータ３６Ａと布送りモータ３６Ｂを駆動し、布を縫製する。上軸モータ３６Ａは非図示の針棒を上下に往復移動する。針棒は縫針を装着する。布送りモータ３６Ｂは非図示の布送り機構を前後方向に移動する。ＬＣＤ３７は縫製に関する各種情報を表示できる。操作部３８はペダル、操作キー、タッチパネル等を含む。ＵＳＢ  Ｉ／Ｆ３９はＵＳＢを介して縫製装置３に機器を接続する為のインタフェースである。ＣＰＵ３１はＵＳＢを介して接続した機器の間でＵＳＢ  Ｉ／Ｆ３９を介してデータを送受信する。
【００２１】
リムーバブルメディア５はＵＳＢを介して縫製装置３に接続する。リムーバブルメディア５は通信装置５１、記憶部５２、制御部５３を有する。通信装置５１はアクセスポイント７と無線通信を行う為のインタフェース（例えば、Ｗｉ−Ｆｉ通信モジュール等）である。ＣＰＵ３１はリムーバブルメディア５が縫製装置３に接続した状態で、記憶部５２を読出しと書込みが可能な記憶媒体として認識する。記憶部５２は送信領域を備える。縫製装置３のＣＰＵ３１は状況情報を示すコードを記憶部３４に書込む。ＣＰＵ３１は記憶部３４に保存したコードを、所定時機（例えば、１分間隔）で、記憶部５２の送信領域に書込み、記憶部３４に保存したコードを削除する。制御部５３は記憶部５２の送信領域にコードが保存したことに応じ、通信装置５１を介してコードを送信し、送信領域のコードを削除する。リムーバブルメディア５の制御部５３は電気的に接続した縫製装置３の状況情報を所定時機に通信装置５１を介して所定のプロトコル（例えば、ＨＴＴＰ）で情報処理装置２に送信する。本例の制御部５３は所定時間毎に送信領域が記憶する状況情報を情報処理装置２に送信する。制御部５３は情報処理装置２に送信する状況情報のファイル名を「識別番号＿製造番号＿データ番号．ｔｘｔ」と設定する。識別番号、製造番号は記憶部３４が記憶する情報に基づきＣＰＵ３１が記憶部５２に書込んだデータである。データ番号は状況情報の送信順序を表す数字である。ファイルを受信した情報処理装置２はデータ番号に依り、ファイルの送信順序と送信時刻を予測できる。
【００２２】
端末装置１０は表示装置５４、通信装置５５、記憶部５６、制御部５７、入力部５８を有する。端末装置１０は縫製装置３に電気的に接続しない。表示装置５４は各種情報を表示できる。通信装置５５はアクセスポイント７と無線通信を行う為のインタフェース（例えば、Ｗｉ−Ｆｉ通信モジュール等）である。記憶部５６は制御部５７が実行するプログラム等を記憶する。制御部５７は通信装置５５と記憶部５６を用いた通信制御を実行する。入力部５８は作業者から縫製装置３の状況情報の入力を受け付ける。端末装置１０の制御部５７は対応する縫製装置３の状況情報を所定時機に通信装置５５を介して所定のプロトコル（例えば、ＨＴＴＰ）で情報処理装置２に送信する。本例の制御部５７は状況情報を受け付けたことに応じて状況情報を情報処理装置２に送信する。制御部５７は情報処理装置２に送信する状況情報のファイル名を「識別番号＿製造番号＿データ番号．ｔｘｔ」と設定する。識別番号、製造番号は記憶部５６が記憶する端末装置１０の情報である。データ番号は状況情報の送信順序を表す数字である。ファイルを受信した情報処理装置２はデータ番号に依り、ファイルの送信順序と送信時刻を予測できる。
【００２３】
図２を参照し、記憶部２４が備える記憶領域２４１〜２４４を説明する。図２に示す如く、記憶部２４は縫製装置記憶領域２４１、コード記憶領域２４２、アイコン記憶領域２４３、ログファイル記憶領域２４４を備える。縫製装置記憶領域２４１は情報処理システム１が備える縫製装置３の登録番号、装置名、作業者番号、工程番号、目標枚数、製造番号を関連づけて記憶する。登録番号は登録順序を示す。装置名は縫製装置３を識別する識別情報を示す。工程番号は情報処理システム１で実行する縫製に関わる複数の作業工程を識別するものである。目標枚数は、一日当たりの作業量の目標値を示す。目標枚数は例えば、縫製物の枚数である。具体例の情報処理装置２は登録番号がＤ００１〜Ｄ００８の八台の縫製装置３の情報を記憶する。
【００２４】
コード記憶領域２４２はリムーバブルメディア５及び端末装置１０の何れかが送信するコードと状況情報の対応を記憶する。コードは状況情報を示すアルファベットと数字を組み合わせた文字列である。状況情報は縫製装置３又は端末装置１０に対応する作業者が縫製に関わる作業から離れていることを示す複数の離席情報９１を含む。複数の離席情報９１は離席理由が互いに異なる。複数の離席情報９１は、コードＸ１１〜Ｘ１４で表す。コードＸ１１は離席理由が休憩中であることを示す。コードＸ１２は離席理由が縫製物等を運ぶ運搬作業中であることを示す。コードＸ１３は離席理由が他の作業者の作業を行う、応援作業中であることを示す。コードＸ１４は縫製装置３等の修理作業中であることを示す。アイコン記憶領域２４３は離席情報に応じたアイコンの画像情報を記憶する。
【００２５】
図３を参照し、縫製装置記憶領域２４１が記憶する作業者番号、作業工程、目標枚数の対応を示す表９２を説明する。管理者は１つの作業工程に１以上の作業者番号を割り当てる。管理者は作業者番号に複数の作業工程を割り当てることができる。管理者は作業者番号Ｈ００１に作業工程１を対応付け、目標枚数を１５００枚とする。管理者は作業者番号Ｈ００２に作業工程３を対応付け、目標枚数を１５００枚とする。管理者は作業者番号Ｈ００３に作業工程５を対応付け、目標枚数を１５００枚とする。管理者は作業者番号Ｈ００４、Ｈ００５に作業工程２を対応付け、目標枚数を６００枚とする。管理者は作業者番号Ｈ００６に作業工程２を対応付け、目標枚数を３００枚とする。管理者は作業者番号Ｈ００６に作業工程４を対応付け、目標枚数を５００枚とする。管理者は作業者番号Ｈ００７に作業工程４を対応付け、目標枚数を１０００枚とする。
【００２６】
図４を参照しリムーバブルメディア５と接続した縫製装置３が実行する状況情報送信処理を、識別情報がＭ００１−１である縫製装置３が処理を実行する具体例を用いて説明する。ＣＰＵ３１はＲＯＭ３２又は記憶部３４からプログラムを読出し、プログラムが含む指示に従い状況情報送信処理を実行する。ＣＰＵ３１は縫製装置３の動作モードを変更する指示を取得したかを判断する（Ｓ１）。動作モードは、通常モード、離席モードを含む。通常モードは縫製装置３で縫製を行う時の動作モードである。離席モードは作業者が縫製に関わる作業から離れる時の動作モードである。作業者はＬＣＤ３７に表示した画面６０を操作部３８で操作することで、動作モードを変更する指示を入力できる。図５に示す如く、ＣＰＵ３１は通常モードで駆動時に、画面６０をＬＣＤ３７に表示する。画面６０は表示欄６１〜６３、入力キー６４、６５を含む。表示欄６１は縫製装置３を使用する作業者の作業者番号を表す。表示欄６２は縫製装置３に割り当てた作業工程の工程番号を表す。表示欄６３は縫製装置３に割り当てた目標枚数と現在の縫製枚数を表す。入力キー６４は動作モードを離席モードに変更する指示の入力に用いる。入力キー６５は作業者が管理者を呼び出す指示の入力に用いる。
【００２７】
動作モードを変更しない時（Ｓ１：ＮＯ）、ＣＰＵ３１は管理者呼び出しを選択したかを判断する（Ｓ３）。入力キー６５の選択を検出した時（Ｓ３：ＹＥＳ）、ＣＰＵ３１はＲＡＭ３３に記憶のフラグを参照し、管理者呼び出し中かを判断する（Ｓ４）。管理者呼び出し中でない時（Ｓ４：ＮＯ）、ＣＰＵ３１はＲＡＭ３３に管理者呼び出し中のフラグを記憶し、管理者呼び出しコードＣＡ１を情報処理装置２に送信する（Ｓ６）。管理者呼び出し中の時（Ｓ４：ＹＥＳ）、ＣＰＵ３１はＲＡＭ３３の管理者呼び出し中のフラグを初期化し、管理者呼び出し解除コードＣＡ２を情報処理装置２に送信する（Ｓ５）。Ｓ５又はＳ６の処理後、ＣＰＵ３１は処理をＳ１に戻す。入力キー６５の選択を検出しない時（Ｓ３：ＮＯ）、ＣＰＵ３１は指示に応じたその他の処理を行い（Ｓ１６）、処理をＳ１に戻す。指示に応じたその他の処理は例えば、リムーバブルメディア５を介し、縫製動作実行中に状況情報と縫製装置３の識別情報を情報処理装置２に送信する処理を含む。
【００２８】
動作モードを変更する指示を取得した時（Ｓ１：ＹＥＳ）、ＣＰＵ３１は該指示が離席モードに関する指示かを判断する（Ｓ２）。離席モードに関する指示は、通常モードの時に入力キー６４の選択があったこと、又は離席モードの時にアイコン７１〜７４の選択があったことに基づく。離席モードに関する指示があった時、（Ｓ２：ＹＥＳ）、ＣＰＵ３１は離席中かを判断する（Ｓ７）。離席中でない時、即ち入力キー６４の選択を検出した時（Ｓ７：ＮＯ）、ＣＰＵ３１は離席理由選択画面７０をＬＣＤ３７に表示する（Ｓ８）。離席理由選択画面７０は、コードＸ１１〜Ｘ１４に応じたアイコン７１〜７４を表示する。作業者はアイコン７１〜７４の中から離席理由に応じたアイコンを選択する。ＣＰＵ３１は離席理由の選択を検出する迄Ｓ９の判断を継続する（Ｓ９：ＮＯ）。アイコン７２の選択を検出時（Ｓ９：ＹＥＳ）、ＣＰＵ３１はＳ９で検出したアイコン７２を点滅表示した画面７５を表示する（Ｓ１０）。ＣＰＵ３１は縫製装置３の縫製機能を禁止する（Ｓ１１）。ＣＰＵ３１は後述のＳ１４で縫製機能の禁止を解除する迄、上軸モータ３６Ａ、布送りモータ３６Ｂの駆動停止を継続する。ＣＰＵ３１は縫製機能を禁止している間、縫製動作の開始の指示を受け付けない。ＣＰＵ３１はＳ９で取得した離席理由に応じた離席情報を情報処理装置２に送信する（Ｓ１２）。具体的にはＣＰＵ３１はコードＸ１２をＵＳＢ  Ｉ／Ｆ３９を介して記憶部５２に記憶する。リムーバブルメディア５の制御部５３は、所定時機に記憶部５２に記憶したコードＸ１２を、縫製装置３の識別情報と共に、情報処理装置２に送信し、記憶部５２に記憶したコードＸ１２を削除する。ＣＰＵ３１は処理をＳ１に戻す。
【００２９】
離席中の時、即ち画面７５のアイコン７２の選択を検出した時（Ｓ７：ＹＥＳ）、ＣＰＵ３１は通常画面（画面６０）をＬＣＤ３７に表示する（Ｓ１３）。作業者は画面７５を表示中に、アイコン７１〜７４のうち点滅中のアイコンの選択することで、離席モードから通常モードに変更する指示を入力できる。ＣＰＵ３１は縫製装置３の縫製機能を禁止を解除し、縫製機能を許可する（Ｓ１４）。ＣＰＵ３１は縫製動作の開始の指示を受け付け可能となる。ＣＰＵ３１は縫製動作の開始の指示に応じて、上軸モータ３６Ａ、布送りモータ３６Ｂを駆動することを許可する。ＣＰＵ３１はリムーバブルメディア５を介して縫製待ち中に対応するコードＸ０２を情報処理装置２に送信する（Ｓ１５）。ＣＰＵ３１は処理をＳ１に戻す。
【００３０】
離席モードに関する指示を取得していない時（Ｓ２：ＮＯ）、ＣＰＵ３１は動作モードに応じたその他のモードへの移行処理を実行し（Ｓ１７）、処理をＳ１に戻す。その他のモードへの移行処理は例えば縫製装置３で縫製模様を作成する縫製データ作成モードに変更する処理を含む。ＣＰＵ３１は縫製装置３の電源をオフにする時、状況情報送信処理を終了する。端末装置１０において状況情報送信処理を行う場合、制御部５７は縫製装置３を制御する処理を除いて処理を実行する。具体的には端末装置１０の制御部５７から作業者が入力部５８を介して状況情報を入力することに応じて、Ｓ１１、Ｓ１４を除く処理を実行する。画面６０、離席理由選択画面７０、画面７５は、表示装置５４に表示する。
【００３１】
図６を参照し情報処理装置２が実行する状況情報取得処理について説明する。ＣＰＵ２１はＲＯＭ２２又は記憶部２４からプログラムを読出し、プログラムが含む指示に従い状況情報取得処理を実行する。ＣＰＵ２１はリムーバブルメディア５及び端末装置１０の何れかが送信した縫製装置３の識別情報と状況情報を取得したかを判断する（Ｓ２１）。識別情報がＭ００１−１の縫製装置３の状況情報を取得時（Ｓ２１：ＹＥＳ）、Ｓ２１で取得した状況情報が生産カウンタＣＴ１であるかを判断する（Ｓ２２）。Ｓ２１で取得した状況情報が生産カウンタＣＴ１である時（Ｓ２２：ＹＥＳ）、生産カウンタＣＴ１が示す値を縫製装置３の識別情報と対応付けて、縫製装置記憶領域２４１に記憶する（Ｓ２５）。ＣＰＵ２１は後述のＳ２６の処理を実行する。
【００３２】
Ｓ２１で取得した状況情報が生産カウンタＣＴ１ではない時（Ｓ２２：ＮＯ）、縫製装置の状況情報を更新する（Ｓ２３）。ＣＰＵ３１はＳ２１で取得した状況情報と、状況情報を取得した時刻を示す時刻情報とを、識別情報に関連付けて記憶部２４のログファイル記憶領域２４４に記憶する（Ｓ２４）。時刻情報は状況情報を取得した時刻を示す情報であればよく、例えばテキスト形式のログファイルの受信時刻である。図８に示す如く、ログファイル記憶領域２４４は、状況情報を含むログファイルと状況情報の受信時刻を対応付けて記憶する。縫製装置３の識別情報はログファイルのファイル名に含まれる。ログファイル記憶領域２４４は、状況情報を含まないログファイルも受信時刻と対応付けて記憶する。ログファイル記憶領域２４４は、状況情報を含まないログファイルは記憶しなくてもよい。情報処理装置２は受信したログファイルをログファイルとして記憶する処理に変えて、ログファイルが含むデータを、ログデータとして記憶してもよい。時刻情報は、ログファイルの受信時刻であってもよいし、ログファイル送信時刻であってもよいし、縫製装置３がコードを生成、記憶した時刻であってもよい。
【００３３】
ＣＰＵ３１は、表示更新時期かを判断する（Ｓ２６）。本例のＣＰＵ２１は前回表示更新後、所定時間（例えば６０秒）経過時に表示更新時期であると判断する。更新頻度を定める所定時間は管理者が設定できてもよいし、ＣＰＵ２１が自動で設定してもよい。表示更新時期でない時（Ｓ２６：ＮＯ）、ＣＰＵ２１は処理をＳ２１に戻す。表示更新時期である時（Ｓ２６：ＹＥＳ）、ＣＰＵ２１は、情報処理装置２が記憶する複数の縫製装置３について、現在の目標枚数を算出する（Ｓ２７）。現在の目標枚数は現在時刻、一日の目標枚数、作業時間に基づく、縫製装置３が作業開始時刻から現在時刻までの期間に行う目標となる縫製作業の量を示す数値である。現在の目標枚数の端数の処理は、切り上げ、切り下げ、四捨五入等適宜設定すればよい。ＣＰＵ２１はＬＣＤ２７が表示する状況情報を最新の情報に更新する（Ｓ２８）。例えば、ＣＰＵ２１は縫製装置記憶領域２４１に依りＬＣＤ２７に画面９５を更新する。画面９５はリスト９６を含む。リスト９６は縫製装置記憶領域２４１が記憶する登録番号、装置名、作業者番号、工程番号、一日の目標枚数、Ｓ２７で算出した現在の目標枚数、縫製枚数を含む。ＣＰＵ２１は処理をＳ２１に戻す。ＣＰＵ２１は情報処理装置２の電源をＯＦＦにする指示を取得時に状況情報取得処理を終了する。
【００３４】
図９を参照し応答処理を説明する。情報処理装置２起動時、ＣＰＵ２１はＲＯＭ２２からプログラムを読出し、プログラムが含む指示に従い応答処理を実行する。ＣＰＵ２１は要求を取得したか否かを判断する（Ｓ３１）。管理者は入力部２８を操作することで各種要求を情報処理装置２に入力できる。ＣＰＵ２１は要求を未取得時（Ｓ３１：ＮＯ）、処理をＳ３１に戻す。ＣＰＵ２１は要求を取得時（Ｓ３１：ＹＥＳ）、Ｓ３１の処理で取得した要求が生産状況表示であるか否かを判断する（Ｓ３２）。生産状況表示は区分毎の最新の状況情報をＬＣＤ２７にグラフ表示する要求である。作業者は画面９５の入力キー９７を選択することで生産状況表示の要求を入力できる。区分は縫製装置記憶領域２４１が記憶する装置名、作業者番号、工程番号に応じた、装置別、作業者別、工程別の中から指定する。要求が生産状況表示である時（Ｓ３２：ＹＥＳ）、ＣＰＵ３１は生産状況表示処理を実行する（Ｓ３３）。
【００３５】
図１０に示す如く、ＣＰＵ２１は生産状況表示処理において区分を取得する（Ｓ４１）。ＣＰＵ２１はＳ４１で取得した区分毎に縫製装置記憶領域２４１が記憶する縫製装置３をグループ化する（Ｓ４２）。区分が作業者別である時、作業者毎に、作業者に割り当てた一又は複数の縫製装置３をグループ化する。区分が装置別である時、グループ化の処理はしなくてもよい。区分が工程別である時、作業工程毎に、作業工程を割り当てた一又は複数の縫製装置３をグループ化する。ＣＰＵ２１はＳ４２で設定したグループを順に読み出す処理で用いる変数Ｎを１に設定する（Ｓ４３）。ＣＰＵ２１は現在の縫製枚数Ａ（Ｎ）を取得する（Ｓ４４）。現在の縫製枚数Ａ（Ｎ）は、Ｎ番目のグループ内の縫製装置３の縫製枚数の合計値である。
【００３６】
ＣＰＵ２１は現在の目標枚数Ｂ（Ｎ）を取得する（Ｓ４５）。現在の目標枚数Ｂ（Ｎ）はＮ番目のグループ内の縫製装置３の現在の目標枚数の合計値である。ＣＰＵ２１はＳ４４で取得した現在の縫製枚数Ａ（Ｎ）をＳ４５で取得した現在の目標枚数Ｂ（Ｎ）で除して、現在の達成率Ｄ（Ｎ）を取得する（Ｓ４６）。ＣＰＵ２１は変数ＮがＳ４２で設定したグループ数と等しいかを判断する（Ｓ４７）。変数ＮがＳ４２で設定したグループ数と等しくない時（Ｓ４７：ＮＯ）、ＣＰＵ２１は変数Ｎを１だけインクリメントし（Ｓ４９）、処理をＳ４４に戻す。変数ＮがＳ４２で設定したグループ数と等しい時（Ｓ４７：ＹＥＳ）、ＣＰＵ２１はＳ４２で設定した区分毎に現在の縫製枚数Ａ（Ｎ）、現在の目標枚数Ｂ（Ｎ）、現在の達成率Ｄ（Ｎ）をグラフ表示する（Ｓ４８）。
【００３７】
区分が作業者別である時、ＣＰＵ２１は例えば画面４１を表示する。図１１に示す如く画面４１は入力キー４０、４２〜４４、グラフ４５を含む。入力キー４０は詳細表示の要求を入力する。入力キー４２〜４４は、区分を切り替える指示を入力する。入力キー４２〜４４の内、指定した区分の入力キーの背景は黒色であり、指定していない区分の入力キーの背景は白色である。グラフ４５の横軸は作業者番号であり、左側の縦軸は達成率Ｄ（Ｎ）％を示す、右側の縦軸は、現在の縫製枚数Ａ（Ｎ）、現在の目標枚数Ｂ（Ｎ）を示す。達成率Ｄ（Ｎ）は、黒丸で示し、現在の縫製枚数Ａ（Ｎ）は斜線の網掛けの棒グラフで示し、現在の目標枚数Ｂ（Ｎ）は点の網掛けの棒グラフで示す。同様に、区分が装置別である時、ＣＰＵ２１は例えば画面４６を表示する。図１２に示す如く、画面４６は入力キー４０、４２〜４４、グラフ４７を含む。グラフ４７の横軸は装置名である。区分が工程別である時、ＣＰＵ２１は例えば画面４８を表示する。図１３に示す如く、画面４８は、入力キー４２〜４４、グラフ４９を含む。画面４８は入力キー４０を含まない。グラフ４９の横軸は工程番号である。グラフ４９において現在の縫製枚数Ａ（Ｎ）、現在の目標枚数Ｂ（Ｎ）は、作業者毎に区別可能に区切って表示する。ＣＰＵ２１はグラフ４９にて作業者毎に表示態様（色、網掛けの種類等）を変更してもよい。ＣＰＵ２１は以上で生産状況表示処理を終了し、処理を応答処理に戻す。ＣＰＵ２１はＳ３３の後、処理をＳ３１に戻す。
【００３８】
要求が生産状況表示ではない時（Ｓ３２：ＮＯ）、ＣＰＵ２１は要求が詳細表示であるかを判断する（Ｓ３４）。詳細表示は表示対象の状況情報の所定期間内の時間遷移を表示する指示である。表示対象は、管理者が選択した特定の装置、管理者が選択した区分（作業者別、装置別）毎の何れかである。所定期間は例えば一時間単位で設定する。所定期間は管理者が設定可能であってもよいし、情報処理装置２が自動で設定してもよい。作業者は表示対象、所定期間を指定して詳細表示の要求を入力できる。作業者は画面４１、４６の入力キー４０を選択することで表示中の区分毎の詳細表示の要求を入力できる。作業者は画面４６、４８、９５の特定の縫製装置３を選択することで、選択した縫製装置３の詳細表示の要求を入力できる。要求が詳細表示の時（Ｓ３４：ＹＥＳ）、ＣＰＵ２１は詳細表示処理を実行する（Ｓ３５）。
【００３９】
図１４に示す如く、ＣＰＵ２１は変数Ｎ、Ｋに１を設定する（Ｓ６１）。変数ＫはＮ番目の表示対象のログファイルの内、所定期間のログファイルを取得する為の変数である。ＣＰＵ２１はログファイル記憶領域２４４を参照し、Ｎ番目の表示対象の所定期間内のＫ番目のログファイルを取得する（Ｓ６２）。ＣＰＵ２１はＫ番目のログファイルから状況情報を取得する（Ｓ６３）。ＣＰＵ２１はＳ６３で取得した状況情報が離席情報であるかを判断する（Ｓ６４）。Ｓ６３で取得した状況情報がコードＸ１１〜Ｘ１４である時（Ｓ６４）、ＣＰＵ２１はアイコン記憶領域２４３を参照し、Ｓ６３で取得したコードに対応するアイコンを取得する（Ｓ６６）。Ｓ６３で取得した状況情報が離席情報でない時（Ｓ６４：ＮＯ）、ＣＰＵ２１はコード記憶領域２４２を参照し、Ｓ６３で取得した状況情報に応じた色情報を取得する（Ｓ６５）。例えばＣＰＵ２１はコードＸ００である時、色情報として灰色を取得する。Ｓ６５又はＳ６６の次に、ＣＰＵ２１はＫ番目のログファイルが所定時間内の最後のログファイルであるかを判断する。Ｋ番目のログファイルが所定時間内の最後のログファイルではない時（Ｓ６７：ＮＯ）、ＣＰＵ２１は変数Ｋに一加算して（Ｓ６８）、処理をＳ６２に戻す。
【００４０】
Ｋ番目のログファイルが所定時間内の最後のログファイルである時（Ｓ６７：ＹＥＳ）、ＣＰＵ２１は単位時間当たりの縫製枚数を計算する（Ｓ６９）。単位時間当たりの縫製枚数は、現在の縫製枚数を、作業時間で除した値である。作業時間は、所定期間の開始時刻から終了時刻を差し引いた値から、休憩時間（例えば、昼休み）、離席時間を差し引いた値である。離席時間は離席情報に依り算出する。ＣＰＵ２１は、Ｓ６９の計算結果及び特定装置のグラフを表示する（Ｓ７０）。ＣＰＵ２１は、変数Ｎが表示対象の数と一致するかを判断する（Ｓ７１）。変数Ｎが表示対象の数と一致しない時（Ｓ７１：ＮＯ）、ＣＰＵ２１は変数Ｎを一加算し、変数Ｋに一を設定して（Ｓ７２）、処理をＳ６２に戻す。変数Ｎが表示対象の数と一致する時（Ｓ７１：ＹＥＳ）、ＣＰＵ２１は以上で詳細表示処理を終了し、処理を図９の応答処理に戻す。
【００４１】
表示対象が装置名がＭ００１−１である縫製装置３であり、所定期間が９時から１０時である時、ＣＰＵ２１は、例えば画面１００をＬＣＤ２７に表示する。図１５に示す如く、画面１００は入力キー１０１〜１０４、表示欄１０５、１０６、グラフ１０７を含む。入力キー１０１〜１０３は表示対象を入力する。入力キー１０１〜１０３の内、指定した表示対象の入力キーの背景は黒色であり、指定していない表示対象の入力キーの背景は白色である。入力キー１０４は詳細表示を終了する指示を入力する。表示欄１０５は表示対象を示す。表示欄１０６はＳ６９で計算した単位時間当たりの縫製枚数を示す。グラフ１０７は状況情報の時間遷移を示す。グラフ１０７は左右方向に長い時間表である。グラフ１０７は離席情報に応じた期間を、離席情報に応じたアイコンで示す。グラフ１０７は離席情報以外の状況情報に応じた期間を、状況情報に応じた色情報で示す。
【００４２】
表示対象が作業者毎であり、所定期間が９時から１０時である時、ＣＰＵ２１は例えば画面１１０をＬＣＤ２７に表示する。図１６に示す如く、画面１１０は入力キー１０１〜１０４、表示欄１１５、１１６、１１７を含む。表示欄１１５は所定時間を示す。表示欄１１６は作業者毎のＳ６９で計算した単位時間当たりの縫製枚数を示す。表示欄１１７は作業者毎の状況情報の時間遷移を示すグラフを上下方向に並べて表示する。表示欄１１７の各グラフは離席情報に応じた期間を、離席情報に応じたアイコンで示す。表示欄１１７の各グラフは離席情報以外の状況情報に応じた期間を、状況情報に応じた色情報で示す。表示対象が縫製装置毎であり、所定期間が９時から１０時である時、ＣＰＵ２１は例えば画面１２０をＬＣＤ２７に表示する。図１７に示す如く、画面１２０は入力キー１０１〜１０４、表示欄１１５、１２６、１２７を含む。表示欄１２６は縫製装置３毎のＳ６９で計算した単位時間当たりの縫製枚数を示す。表示欄１２７は縫製装置３毎の状況情報の時間遷移を示すグラフを上下方向に並べて表示する。表示欄１２７の各グラフは離席情報に応じた期間を、離席情報に応じたアイコンで示す。表示欄１２７の各グラフは離席情報以外の状況情報に応じた期間を、状況情報に応じた色情報で示す。
【００４３】
ＣＰＵ２１はＳ３５の次に、処理をＳ３１に戻す。要求が詳細表示ではない時（Ｓ３４：ＮＯ）、ＣＰＵ２１は要求に応じたその他の処理を行い（Ｓ３６）、処理をＳ３１に戻す。ＣＰＵ２１は情報処理装置２の電源をオフにする時、応答処理を終了する。
【００４４】
上記実施形態の情報処理システム１において、情報処理システム１、情報処理装置２、通信Ｉ／Ｆ２５、ＬＣＤ２７、記憶部２４、ＣＰＵ２１は、本発明の情報処理システム、情報処理装置、通信部、表示部、記憶装置、制御部の一例である。リムーバブルメディア５、端末装置１０は本発明の端末装置の一例である。離席情報９１は本発明の非作業情報の一例である。Ｓ２を実行するＣＰＵ３１、制御部５７は本発明の受付部の一例である。Ｓ１２を実行するＣＰＵ３１、制御部５７は本発明の送信部の一例である。Ｓ２１を実行するＣＰＵ２１は本発明の受信部の一例である。Ｓ２１は本発明の受信工程の一例である。Ｓ２４を実行するＣＰＵ２１は本発明の記憶制御部の一例である。Ｓ２４は本発明の記憶制御工程の一例である。Ｓ３２を実行するＣＰＵ２１は本発明の装置指定部の一例である。Ｓ３４は本発明の装置指定工程の一例である。Ｓ７０を実行するＣＰＵ２１は本発明の特定表示制御部の一例である。Ｓ７０は本発明の特定表示制御工程の一例である。Ｓ６９を実行するＣＰＵ２１は本発明の算出部の一例である。Ｓ７０を実行するＣＰＵ２１は本発明の生産情報表示制御部の一例である。Ｓ３２を実行するＣＰＵ２１は本発明の表示条件指定部の一例である。Ｓ４８を実行するＣＰＵ２１は本発明の作業量表示制御部の一例である。Ｓ７０を実行するＣＰＵ２１は区分表示制御部の一例である。Ｓ１１を実行するＣＰＵ３１は本発明の機能停止部の一例である。
【００４５】
上記実施形態の情報処理システム１は、リムーバブルメディア５又は端末装置１０が送信する状況情報の内、Ｓ３４で指定した表示対象の状況情報の時間遷移を、状況情報の内の離席情報と他の情報とを区別可能にＬＣＤ２７に表示できる。管理者はＬＣＤ２７が表示する状況情報により、作業者が縫製に関わる作業から離れていた期間を把握できる。情報処理システム１は管理者が縫製に関わる作業状況を従来よりも詳細に把握可能に状況情報を表示できる。
【００４６】
離席情報は、作業者が縫製に関わる作業から離れている状況が互いに異なる複数の種類を含む。記憶部２４のアイコン記憶領域２４３は離席情報が有する複数の種類の各々に応じた複数のアイコンを記憶する。ＣＰＵ２１は、記憶部２４が記憶する複数のアイコンの内の、ＬＣＤ２７に表示する離席情報の種類に対応したアイコンを用いて、リムーバブルメディア５又は端末装置１０が送信する状況情報の内、Ｓ３４で指定した表示対象の状況情報の時間遷移を、離席情報と他の情報とを区別可能にＬＣＤ２７に表示する。故に、情報処理システム１はＳ３４で指定した状況情報の時間遷移を、離席情報の種類に対応したアイコンを用いて、状況情報の内の離席情報と他の情報とを区別可能にＬＣＤ２７に表示できる。情報処理システム１は離席情報が一種類である時よりも作業者が縫製に関わる作業から離れている状況を詳細に表示できる。管理者はＬＣＤ２７が表示するアイコンにより、離席情報の種類を把握しやすい。図１７の画面１２０に示す如く、ＣＰＵ２１は装置名Ｍ００１−１、Ｍ００１−３、Ｍ００２−３、Ｍ００３−１の状況情報の時間遷移において、離席情報に応じたアイコンを表示する。故に、情報処理システム１は離席情報をアイコンで表示しない構成よりも、管理者が離席情報の種類を把握する際の利便性を向上できる。
【００４７】
ＣＰＵ２１は、状況情報と時刻情報とに依り、リムーバブルメディア５及び端末装置１０の各々について、離席情報を取得した期間を除いて、単位時間当たりの作業量を算出する（Ｓ６９）。ＣＰＵ２１は、算出した単位時間当たりの作業量をＬＣＤ２７に表示する（Ｓ７０）。例えば、図３に示す如く、作業者番号Ｈ００６の作業者は、作業工程２と作業工程４の作業をする。図１７に示す如く、作業者番号Ｈ００６の作業者は、所定期間内に作業工程２と作業工程４の作業を行う時がある。該時、作業を行っていない期間を考慮せず、縫製枚数を所定期間で除して単位時間当たりの作業量を算出した時、作業者番号Ｈ００６である作業者が行う作業の速さを低く見積もることになる。同様に、作業者が対応する縫製装置３で作業を行っていない期間を考慮せずに、縫製枚数を所定期間で除して単位時間当たりの作業量を算出した時、作業者番号Ｈ００６である作業者が行う作業の速さを低く見積もることになる。これに対し、情報処理システム１は離席情報を取得した期間を除いて単位時間当たりの作業量を算出できる。故に、情報処理システム１は縫製装置３及び作業者の少なくとも何れかの能力に応じた単位時間当たりの作業量を算出できる。管理者は例えばＬＣＤ２７が表示する単位時間当たりの作業量を考慮して、作業者に割り当てる作業工程、目標枚数等を設定でき、縫製作業の効率化を図ることができる。
【００４８】
記憶部２４の縫製装置記憶領域２４１は、リムーバブルメディア５及び端末装置１０の各々について、対応する縫製装置、作業者、及び作業工程を記憶する。ＣＰＵ２１は、リムーバブルメディア５及び端末装置１０の各々が送信する状況情報に依り、対応する縫製に関わる作業量を表示する時の区分を、縫製装置、作業者、及び作業工程の中から指定する。リムーバブルメディア５及び端末装置１０の各々が送信する状況情報に依り、Ｓ３２で指定した区分毎に作業量をＬＣＤ２７に表示する（Ｓ４８）。故に情報処理システム１の情報処理装置２は区分毎の作業量をＬＣＤ２７に表示できる。管理者は区分毎の作業量を容易に確認できる。区分が作業工程である時、情報処理システム１は例えば図１３の画面４８を表示する。画面４８は同一の作業工程の目標枚数、縫製枚数を縫製装置３で区別可能に表示する。故に、情報処理システム１は各作業工程の縫製に関わる作業の進捗状況と、縫製装置３毎の進捗状況を同じ画面に表示できる。
【００４９】
ＣＰＵ２１は、リムーバブルメディア５及び端末装置１０の各々が送信した状況情報に依り、指定する区分が縫製装置又は作業者の場合に、Ｓ３４で指定するリムーバブルメディア５及び端末装置１０の各々の状況情報の時間遷移を、状況情報の内の離席情報と他の情報とを区別可能にＬＣＤ２７に表示する（Ｓ３５）。情報処理システム１は区分毎に、リムーバブルメディア５及び端末装置１０の各々の状況情報の時間遷移を、状況情報の内の離席情報と他の情報とを区別可能にＬＣＤ２７に表示できる。管理者は区分毎の状況情報の時間遷移を容易に確認できる。
【００５０】
縫製装置３はリムーバブルメディア５と接続した縫製装置３を複数備える。複数の縫製装置３は各々、状況情報が離席情報である期間中、縫製機能を禁止する（Ｓ１１）。故に、情報処理システム１は離席情報を取得した期間に誤って縫製装置３が駆動することを確実に抑制できる。
【００５１】
本発明の情報処理装置、情報処理システム、情報処理方法は上記実施形態の他に種々変更できる。情報処理システムが備える装置の種類、数、構成等は適宜変更してよい。縫製装置３が外部機器と通信可能な通信部を有する時、縫製装置３は状況情報を記憶部３４に記憶し、所定時機で直接情報処理装置２に送信してよい。状況情報を情報処理装置２に送信する所定時機は適宜変更してよい。縫製装置３と電気的に接続していない端末装置１０は例えば、状況情報の入力を受け付けた時に情報処理装置２に送信してよい。縫製装置３が情報処理装置２に送信する状況情報の種類、形式等は適宜変更してよい。縫製装置３の識別情報は、リムーバブルメディア５と端末装置１０が付与してもよい。表示部、表示装置はプラズマディスプレイ、有機ＥＬディスプレイ等他の表示機器でもよい。記憶装置はＨＤＤ、ＳＳＤ等の他の記憶機器でもよい。
【００５２】
情報処理装置が処理を実行する為の指令を含むプログラムは情報処理装置２がプログラムを実行する迄に、情報処理装置が備える記憶機器が記憶すればよい。プログラムの取得方法、取得経路、プログラムを記憶する機器の各々は適宜変更してよい。情報処理装置はプロセッサが実行するプログラムをケーブル又は無線通信を介して他の装置から受信し、フラッシュメモリ等の記憶装置に記憶してもよい。他の装置は例えばＰＣ、ネットワーク網を介して接続するサーバを含む。
【００５３】
情報処理装置２が実行する処理の各ステップはＣＰＵ２１が実行する例に限らず、他の電子機器（例えば、ＡＳＩＣ）が一部又は全部の処理を実行してもよい。同様に縫製装置３が実行する処理及び端末装置１０が実行する処理の各ステップはＣＰＵ３１又は制御部５７が実行する例に限らず、他の電子機器（例えば、ＡＳＩＣ）が一部又は全部の処理を実行してもよい。上記処理の各ステップは複数の電子機器（例えば、複数のＣＰＵ）が分散処理してもよい。上記実施形態の状況情報取得処理と応答処理の各ステップは必要に応じて順序の変更、ステップの省略と追加ができる。本発明は情報処理装置２の制御部からの指令に基づき、情報処理装置２上で稼動するオペレーティングシステム（ＯＳ）等が実際の処理の一部又は全部を行い、該処理に依り上記実施形態の機能を実現する態様も含む。
【００５４】
縫製装置の識別情報は、複数の縫製装置を区別可能な情報であればよく、文字、図柄等適宜変更してよい。状況情報の種類は適宜変更してよい。非作業情報の種類は適宜変更してよく、例えば一種類でもよい。非作業情報は作業者が縫製に関わる作業から離れていればよく、作業者が縫製装置３又は端末装置１０の傍にいながらも縫製に関わる作業をしない状況（電話、管理者との相談等）を含んでもよい。非作業情報はアイコンを用いて表示部に表示する他、非作業情報を示す文字、記号、図形、又は非作業情報に応じた表示態様で表示してもよい。アイコンのデザイン等は適宜変更してよい。表示態様は例えば背景色、文字色、フォント、表示領域の点灯／点滅を含む。Ｓ６９は適宜省略してよい。Ｓ６９の単位時間は適宜変更してよい。制御部は非作業情報を取得した期間を除かずに、単位時間当たりの作業量を算出してもよい。単位時間当たりの作業量はグラフ表示してもよい。情報処理装置の記憶装置は、複数の端末装置の各々について、対応する縫製装置、作業者、及び作業工程を記憶しなくてもよい。作業工程が裁断工程、接着工程、検品工程、アイロン工程等である時、端末装置は縫製装置と対応しなくてもよい。情報処理システムは、縫製に関わる作業に用いる、縫製装置以外の装置を備えてもよい。縫製装置以外の装置は例えばアイロン、裁断装置、接着装置を含む。該時、情報処理システムは非作業情報を取得する期間中、当該装置の駆動を停止してもよい。
【００５５】
情報処理装置はＳ３２、Ｓ３３を省略し、複数の端末装置の各々の状況情報に依り、区分毎に作業量を表示部に表示しなくてもよい。Ｓ３３における区分毎の作業量は棒グラフ、折れ線グラフ、散布図等他の種類のグラフで示してもよいし、数値で示してもよい。Ｓ３５において複数の端末装置の各々の状況情報に依り、指定する区分が縫製装置又は作業者の場合に端末装置が送信した状況情報の時間遷移を、状況情報の内の非作業情報と他の情報とを区別可能に表示部に表示しなくてもよい。Ｓ３５において、情報処理装置は指定した複数の縫製装置の状況情報の時間遷移を表示部に表示してもよい。状況情報の時間遷移は帯グラフの他円グラフ等他の種類のグラフで表示してもよい。縫製装置はＳ１０、Ｓ１１、Ｓ１４を省略し、状況情報が非作業情報である期間中、縫製機能を禁止しなくてもよい。縫製装置はＳ１０で、縫製機能禁止中であることを示すメッセージを報知してもよい。縫製装置は状況情報が非作業情報である期間中、縫製機能を作動する指示を取得した時、警告を報知してもよい。
【符号の説明】
【００５６】
１      情報処理システム
２      情報処理装置
３      縫製装置
５      リムーバブルメディア
１０    端末装置
２１、３１    ＣＰＵ
２２、３２    ＲＯＭ
２３、３３    ＲＡＭ
２４、３４、５２、５６    記憶部
２５    通信Ｉ／Ｆ
２７、３７    ＬＣＤ
２８    入力部
２９    ドライブ装置
５１、５５    通信装置
５３、５７    制御部
５４    表示装置
【図１】
2020123293.tif 000003
【図２】
2020123293.tif 000004
【図３】
2020123293.tif 000005
【図４】
2020123293.tif 000006
【図５】
2020123293.tif 000007
【図６】
2020123293.tif 000008
【図７】
2020123293.tif 000009
【図８】
2020123293.tif 000010
【図９】
2020123293.tif 000011
【図１０】
2020123293.tif 000012
【図１１】
2020123293.tif 000013
【図１２】
2020123293.tif 000014
【図１３】
2020123293.tif 000015
【図１４】
2020123293.tif 000016
【図１５】
2020123293.tif 000017
【図１６】
2020123293.tif 000018
【図１７】
2020123293.tif 000019